(57)【要約】【課題】ロック解除の際の解除力が低減されて作業者への負担を軽減させることが可能なコネクタを提供すること。【解決手段】メスハウジング２０は、ハウジング本体２２に設けられてオスハウジング７０の接続部７１に形成された突起部７３を係止してロックするロック機構３０を有し、ロック機構３０は、ハウジング本体２２の外面から接続部７１との嵌合側へ延在し、端部に突起部７３に係脱される係止部３６を有する片持ち梁状の弾性アーム部３２を備えたロックアーム３１と、弾性アーム部３２に連設されて接続部７１との嵌合側と反対側へ延在する支持アーム部３３を有し、支持アーム部３３の端部が操作部３４とされた解除アーム３８と、を備え、メスハウジング２０とオスハウジング７０とが互いに嵌合した状態で、互いに対向する接続部７１及び支持アーム部３３の対向位置には、支点突起３７，７５が形成されている。【選択図】図９
2020191261.tif 000002
【特許請求の範囲】
【請求項１】
ハウジング本体を有する第一ハウジングと、前記第一ハウジングの前記ハウジング本体と嵌合される接続部を有する第二ハウジングと、を備えるコネクタであって、
前記第一ハウジングは、前記ハウジング本体に設けられて前記第二ハウジングの前記接続部に形成された突起部を係止してロックするロック機構を有し、
前記ロック機構は、
前記ハウジング本体の外面から前記接続部との嵌合側へ延在し、端部に前記突起部に係脱される係止部を有する片持ち梁状の弾性アーム部を備えたロックアームと、
前記弾性アーム部に連設されて前記接続部との嵌合側と反対側へ延在する支持アーム部を有し、前記支持アーム部の端部が操作部とされた解除アームと、
を備え、
前記第一ハウジングと前記第二ハウジングとが互いに嵌合した状態で、互いに対向する前記接続部及び支持アーム部の対向位置には、少なくとも一方に支点突起が形成されている、
ことを特徴とするコネクタ。
【請求項２】
前記操作部は、後端へ向かって上方へ傾斜する傾斜面を有している、
ことを特徴とする請求項１に記載のコネクタ。
【請求項３】
前記操作部の前記傾斜面と前記支持アーム部の表面とが滑らかに繋がる円弧状に形成されている、
ことを特徴とする請求項２に記載のコネクタ。
【発明の詳細な説明】
【技術分野】
【０００１】
本発明は、コネクタに関する。
【背景技術】
【０００２】
相手側ハウジングに嵌合されるハウジングは、相手側ハウジングのロック突起部を係止するロック機構を備えている（例えば、特許文献１参照）。
【０００３】
このロック機構は、相手側ハウジングとの嵌合方向に延びる一対のアーム部と、一対のアーム部の先端を橋渡すように設けられて相手側ハウジングのロック突起部に係止されるロック部と、ロック部側からアーム部の延在方向とは逆方向に延在するロック解除用のアーム部と、ロック解除用のアーム部の端部に設けられてロックを解除する際に作業者によって押圧操作される部分となるロック解除操作部と、を有している。
【先行技術文献】
【特許文献】
【０００４】
【特許文献１】特開２０１７−１９１７４６号公報
【発明の概要】
【発明が解決しようとする課題】
【０００５】
上記のコネクタでは、相手側ハウジングとのロックを解除させる際に、作業者は、ロック解除用のアーム部のロック解除操作部を指で押し下げることで、ロック部によるロック突起部への係止を解除させることとなる。このため、特に、複数のコネクタのロック解除を行う際に作業者の指に多大な負担がかかっていた。
【０００６】
本発明は、上述した事情に鑑みてなされたものであり、その目的は、ロック解除の際の解除力が低減されて作業者への負担を軽減させることが可能なコネクタを提供することにある。
【課題を解決するための手段】
【０００７】
前述した目的を達成するために、本発明に係るコネクタは、下記（１）〜（３）を特徴としている。
（１）  ハウジング本体を有する第一ハウジングと、前記第一ハウジングの前記ハウジング本体と嵌合される接続部を有する第二ハウジングと、を備えるコネクタであって、
前記第一ハウジングは、前記ハウジング本体に設けられて前記第二ハウジングの前記接続部に形成された突起部を係止してロックするロック機構を有し、
前記ロック機構は、
前記ハウジング本体の外面から前記接続部との嵌合側へ延在し、端部に前記突起部に係脱される係止部を有する片持ち梁状の弾性アーム部を備えたロックアームと、
前記弾性アーム部に連設されて前記接続部との嵌合側と反対側へ延在する支持アーム部を有し、前記支持アーム部の端部が操作部とされた解除アームと、
を備え、
前記第一ハウジングと前記第二ハウジングとが互いに嵌合した状態で、互いに対向する前記接続部及び支持アーム部の対向位置には、少なくとも一方に支点突起が形成されている、
ことを特徴とするコネクタ。
【０００８】
（２）  前記操作部は、後端へ向かって上方へ傾斜する傾斜面を有している、
ことを特徴とする（１）に記載のコネクタ。
【０００９】
（３）  前記操作部の前記傾斜面と前記支持アーム部の表面とが滑らかに繋がる円弧状に形成されている、
ことを特徴とする（２）に記載のコネクタ。
【００１０】
上記（１）の構成のコネクタによれば、第一ハウジングと第二ハウジングとが互いに嵌合した状態で、解除アームの支持アーム部に設けられた操作部を押し下げると、支持アーム部は、支点突起の当接箇所を支点として揺動する。例えば、支点突起が接続部及び支持アーム部の両方に形成されている場合、これらの支点突起同士の当接箇所が支点となる。また、支点突起が接続部または支持アーム部のいずれか一方に形成されている場合、支点突起と支持アーム部との当接箇所または支点突起と接続部との当接箇所が支点となる。
この支点は、第二ハウジングの接続部と支持アーム部との対向位置に設けられるので、例えば、支持アーム部にハウジング本体に当接可能な支点突起を設けてハウジング本体との当接箇所を支点とした場合と比較し、作用点となる操作部から支点までの距離を長くして力のモーメントを大きくすることができる。したがって、支持アーム部の揺動に必要となる操作部への押圧力の低減効果を高めることができる。これにより、特に、複数のコネクタのロック解除作業を行う作業者の指への負担を軽減させることができる。また、例えば、シール部材を保持するシール保持部等の部位があるために制限を受けるようなことなく支点を設けることができる。
【００１１】
上記（２）の構成のコネクタによれば、操作部が後端へ向かって上方へ傾斜する傾斜面を有しているので、操作部を指で押圧する際に、指からの力を傾斜面で無駄なく受け止めさせることができ、指からの力を円滑に支持アーム部に伝えることができる。
【００１２】
上記（３）の構成のコネクタによれば、操作部の傾斜面と支持アーム部の表面とが滑らかに湾曲する円弧状に形成されているので、操作部を押圧する指への刺激をさらに抑えることができる。したがって、離脱作業を繰り返した際に生じる指の痛みを抑制できる。
【発明の効果】
【００１３】
本発明によれば、ロック解除の際の解除力が低減されて作業者への負担を軽減させることが可能なコネクタを提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は、本実施形態に係るコネクタを構成するメスハウジング及びオスハウジングの斜視図である。
【図２】図２は、本実施形態に係るコネクタの縦方向に沿う断面図である。
【図３】図３は、オスハウジングの斜視図である。
【図４】図４は、オスハウジングの接続部における上部の断面図である。
【図５】図５は、メスハウジングの斜視図である。
【図６】図６は、メスハウジングの正面図である。
【図７】図７は、メスハウジングの平面図である。
【図８】図８は、ロック機構を示す図であって、図８（ａ）は、図７におけるＡ−Ａ断面図、図８（ｂ）は図７におけるＢ−Ｂ断面図である。
【図９】図９は、オスハウジングとメスハウジングとの離脱操作時におけるロック機構の動きを示す図であって、図９（ａ）及び図９（ｂ）は、オスハウジング及びメスハウジングの嵌合箇所の図７のＢ−Ｂ断面に相当する断面図である。
【図１０】図１０は、参考例に係るメスハウジングの図７のＢ−Ｂ断面に相当する断面図である。
【図１１】図１１は、それぞれ変形例に係るコネクタを示す図であって、図１１（ａ）及び図１１（ｂ）は、オスハウジング及びメスハウジングの嵌合箇所の図７のＢ−Ｂ断面に相当する断面図である。
【発明を実施するための形態】
【００１６】
本発明に関する具体的な実施形態について、各図を参照しながら以下に説明する。
図１は、本実施形態に係るコネクタ１０を構成するメスハウジング２０及びオスハウジング７０の斜視図である。図２は、本実施形態に係るコネクタ１０の縦方向に沿う断面図である。
【００１７】
図１及び図２に示すように、本実施形態の係るコネクタ１０は、メスハウジング（第一ハウジング）２０と、オスハウジング（第二ハウジング）７０とを備えている。
【００１８】
メスハウジング２０は、フード部２１が形成されたハウジング本体２２を有し、オスハウジング７０は、接続部７１を有している。メスハウジング２０のハウジング本体２２のフード部２１とオスハウジング７０の接続部７１とを嵌合させることでメスハウジング２０とオスハウジング７０とが互いに接合される。
【００１９】
メスハウジング２０は、合成樹脂により成形されており、ハウジング本体２２のフード部２１は筒状に形成されている。ハウジング本体２２の内部には、嵌合部２３が突設されており、この嵌合部２３には、複数の端子収容室２４が形成されている。これらの端子収容室２４には、電線２５の端部に接続されたメス端子２６がそれぞれ収容されており、電線２５は、ハウジング本体２２の後端から引き出される。端子収容室２４には、電線２５に装着されたゴム栓２７がハウジング本体２２の後端側から嵌め込まれる。これにより、メス端子２６が収容されたハウジング本体２２の端子収容室２４が止水される。
【００２０】
メス端子２６は、例えば、銅または銅合金等の導電性金属材料により形成されており、電線２５に圧着されて接続されている。このメス端子２６は、筒状に形成された電気接続部２８を有している。
【００２１】
メスハウジング２０の嵌合部２３の根元部分には、環状のシール部材５０が装着されている。このシール部材５０は、例えば、ゴム等の樹脂材料からなるもので、オスハウジング７０との接合箇所をシールする。
【００２２】
また、メスハウジング２０のハウジング本体２２には、シール保持部２９が形成されている。このシール保持部２９は、ハウジング本体２２の上部における幅方向の中央部に形成されており、オスハウジング７０との嵌合方向（以下、単に嵌合方向と呼ぶ）の前方側へ突出されている。そして、このシール保持部２９によって、嵌合部２３に装着されたシール部材５０の周方向の一部が係止されて保持されている。
【００２３】
オスハウジング７０は、合成樹脂により成形されており、接続部７１は、筒状に形成されている。オスハウジング７０には、複数のオス端子７７が設けられており、これらのオス端子７７は、筒状の接続部７１内に配置されている。オス端子７７は、例えば、銅または銅合金等の導電性金属材料によって棒状に形成されている。
【００２４】
図３は、オスハウジング７０の斜視図である。図４は、オスハウジング７０の接続部７１における上部の断面図である。
【００２５】
図３及び図４に示すように、オスハウジング７０は、接続部７１の上部に、一対のガイド突条７２と、突起部７３とを有している。ガイド突条７２は、メスハウジング２０との嵌合方向（以下、単に嵌合方向と呼ぶ）に沿って間隔をあけて形成されている。突起部７３は、接続部７１の上部における幅方向中央位置、すなわち一対のガイド突条７２の間に形成されている。突起部７３は、接続部７１の上面から突設しており、嵌合方向の前方側には、オスハウジング７０の後端側へ向かって次第に上方へ傾斜したガイド面７４が形成されている。
【００２６】
また、オスハウジング７０には、接続部７１の上部に、一対の支点突起７５が形成されている。これらの支点突起７５は、接続部７１の先端部近傍に形成されており、幅方向に互いに間隔をあけて配置されている。これらの支点突起７５は、平面からなる頂部７５ａを有している。
【００２７】
図５は、メスハウジング２０の斜視図である。図６は、メスハウジング２０の正面図である。図７は、メスハウジング２０の平面図である。図８は、ロック機構３０を示す図であって、図８（ａ）は、図７におけるＡ−Ａ断面図、図８（ｂ）は図７におけるＢ−Ｂ断面図である。
【００２８】
図５から図７に示すように、メスハウジング２０には、ハウジング本体２２の上部に、ロック機構３０が設けられている。ロック機構３０は、ロックアーム３１と、解除アーム３８とを有している。
【００２９】
ロックアーム３１は、一対の弾性アーム部３２と、係止部３６とを有している。図８（ａ）に示すように、弾性アーム部３２は、ハウジング本体２２に連設されて嵌合方向の前方側へ延在された片持ち支持梁状に形成されている。弾性アーム部３２は、互いに間隔をあけて並列に配置されている。これらの弾性アーム部３２は、嵌合方向の前方側が互いに連結されている。ロックアーム３１は、弾性アーム部３２の互いに連結された連結部分が係止部３６となっており、この係止部３６は、オスハウジング７０に形成された突起部７３に対して係脱される。
【００３０】
解除アーム３８は、一対の支持アーム部３３と、操作部３４とを有している。支持アーム部３３は、一対の弾性アーム部３２の外側にそれぞれ設けられている。図８（ｂ）に示すように、支持アーム部３３は、嵌合方向の前方側の端部が弾性アーム部３２に連設されて嵌合方向の後方側へ延在されている。支持アーム部３３は、弾性アーム部３２との連設側と反対側の後端部が互いに連結されており、この連結部分が操作部３４となっている。
【００３１】
解除アーム３８の操作部３４は、断面視で、後端へ向かって上方へ傾斜する傾斜面３５を有している。この傾斜面３５と支持アーム部３３の表面３３ａとは、滑らかに湾曲する円弧状に形成されている。
【００３２】
また、解除アーム３８のそれぞれの支持アーム部３３には、ハウジング本体２２の嵌合部２３側へ突出する支点突起３７が形成されている。これらの支点突起３７は、弾性アーム部３２のハウジング本体２２との連結箇所よりも嵌合方向の前方側に配置されており、嵌合方向において、オスハウジング７０との嵌合範囲内に設けられている。これらの支点突起３７は、平面からなる頂部３７ａを有している。
【００３３】
ロック機構３０の両側部には、一対の保護壁４１が設けられている。これらの保護壁４１は、ハウジング本体２２の上部に立設されており、ロック機構３０は、保護壁４１によって側方が囲われて保護されている。保護壁４１の嵌合方向の前方側には、梁部４２が設けられている。この梁部４２は、両端が保護壁４１に連設されており、ハウジング本体２２に対して隙間をあけて配置されている。
【００３４】
次に、オスハウジング７０にメスハウジング２０を嵌合及び離脱させる場合について説明する。
図９は、オスハウジング７０とメスハウジング２０との離脱操作時におけるロック機構３０の動きを示す図であって、図９（ａ）及び図９（ｂ）は、オスハウジング７０及びメスハウジング２０の嵌合箇所の図７のＢ−Ｂ断面に相当する断面図である。
【００３５】
オスハウジング７０の接続部７１にメスハウジング２０のフード部２１を近接させて嵌合部２３を嵌め込む。すると、オスハウジング７０のガイド突条７２によってロック機構３０が案内され、メスハウジング２０のロックアーム３１の係止部３６がオスハウジング７０の突起部７３のガイド面７４に接触する。
【００３６】
オスハウジング７０に対してメスハウジング２０を押し込むと、突起部７３のガイド面７４に接触していたロックアーム３１の係止部３６がガイド面７４に沿って摺動して乗り上げ始め、ロックアーム３１の弾性アーム部３２が弾性変形される。これにより、解除アーム３８の支持アーム部３３は、弾性アーム部３２と連結された前端側がハウジング本体２２から離間する方向へ変位されることで揺動する。
【００３７】
オスハウジング７０に対してメスハウジング２０をさらに押し込むことで、係止部３６が突起部７３を乗り越えると、弾性変形していた弾性アーム部３２が復元して支持アーム部３３が逆方向へ揺動し、係止部３６が突起部７３の嵌合方向の前方側に入り込んで係止する。これにより、オスハウジング７０に対してメスハウジング２０が嵌合された状態でロックされる。
【００３８】
この嵌合状態において、メスハウジング２０の嵌合部２３に装着されたシール部材５０にオスハウジング７０の接続部７１が密着し、オスハウジング７０とメスハウジング２０との接合箇所がシールされる。そして、この嵌合状態では、メス端子２６の電気接続部２８にオス端子７７が挿入され、メス端子２６とオス端子７７とが電気的に接続される。
【００３９】
また、メスハウジング２０がオスハウジング７０に嵌合されると、図９（ａ）に示すように、メスハウジング２０の支点突起３７とオスハウジング７０の支点突起７５とが嵌合方向の同一位置に配置されて互いに対向される。
【００４０】
この嵌合状態からメスハウジング２０をオスハウジング７０から離脱させるには、解除アーム３８の支持アーム部３３の後端に設けられた操作部３４をハウジング本体２２側へ押圧する。
【００４１】
この押圧により、図９（ｂ）に示すように、操作部３４が押し下げられることで、支持アーム部３３が揺動される。このとき、支持アーム部３３は、互いに対向位置に配置された支点突起３７，７５の頂部３７ａ，７５ａが当接される。これにより、支持アーム部３３は、頂部３７ａ，７５ａが互いに当接された支点突起３７，７５の当接箇所を支点Fとして揺動する。
【００４２】
これにより、ロックアーム３１の係止部３６がハウジング本体２２から離間する方向へ変位し、突起部７３に対する係止部３６の係止が解除され、オスハウジング７０に対するメスハウジング２０のロックが解除される。
【００４３】
ここで、参考例について説明する。
図１０は、参考例に係るメスハウジングの図７のＢ−Ｂ断面に相当する断面図である。
【００４４】
図１０に示すように、参考例では、メスハウジング２０が、ハウジング本体２２の外面２２ａに当接可能な支点突起３９を有している。
【００４５】
この参考例では、解除アーム３８の操作部３４をハウジング本体２２側へ押圧すると、支持アーム部３３の支点突起３９がハウジング本体２２の外面２２ａに当接する。この状態から操作部３４をさらに押圧すると、支持アーム部３３が、支点突起３９とハウジング本体２２の外面２２ａとの当接箇所を支点Ｆとしてさらに揺動する。これにより、ロックアーム３１の係止部３６がハウジング本体２２から離間する方向へ変位し、突起部７３に対する係止部３６の係止が解除される。
【００４６】
このように、参考例の場合では、ハウジング本体２２の外面２２ａに対する支点突起３９の当接箇所を支点Ｆとして支持アーム部３３が揺動するので、オスハウジング７０の突起部７３に対する係止部３６の係止をテコの原理により容易に解除させることができる。
【００４７】
しかし、この参考例では、操作部３４における作用点Ｓと支点Ｆとの距離Ｌが小さいため、支持アーム部３３を揺動させるために必要となる押圧力をあまり低減させることが困難である。
【００４８】
これに対し、本実施形態では、メスハウジング２０とオスハウジング７０とが互いに嵌合した状態で、解除アーム３８の支持アーム部３３に設けられた操作部３４を押し下げると、支持アーム部３３は、支点突起３７，７５の当接箇所を支点Ｆとして揺動する。
【００４９】
この支点Ｆは、オスハウジング７０の接続部７１と支持アーム部３３との対向位置に設けられるので、参考例のように、支持アーム部３３にハウジング本体２２に当接可能な支点突起３９を設けてハウジング本体２２との当接箇所を支点Ｆとした場合と比較し、作用点Ｓとなる操作部３４から支点Ｆまでの距離Ｌを長くして力のモーメントを大きくすることができる（図９（ａ）参照）。したがって、支持アーム部３３の揺動に必要となる操作部３４への押圧力の低減効果を高めることができる。これにより、特に、複数のコネクタ１０のロック解除作業を行う作業者の指への負担を軽減させることができる。また、例えば、シール部材５０を保持するシール保持部２９等の部位があるために制限を受けるようなことなく支点Ｆを設けることができる。
【００５０】
また、参考例では、操作時における指の引っ掛かりをよくするために、操作部３４に段部３４ａを形成している。しかし、この段部３４ａを形成することで、操作部３４を押圧する指に段部３４ａから局所的に反力が付与される。このため、作業者が離脱作業を繰り返し行うと指に痛みを感じるおそれがある。
【００５１】
これに対して、本実施形態では、操作部３４は、断面視で、後端へ向かって上方へ傾斜する傾斜面３５を有している。したがって、操作部３４を押圧する際に、指に局所的に反力を付与させることなく、指からの力を傾斜面３５で無駄なく受け止めさせることができ、指からの力を円滑に支持アーム部３３に伝えることができる。なお、傾斜面３５は、操作部３４を押圧した際に、嵌合方向に対して平行となるか、または僅かに後端へ向かって上方へ傾斜されるのが好ましい。
【００５２】
また、本実施形態では、操作部３４の傾斜面３５と支持アーム部３３の表面３３ａとが滑らかに湾曲する円弧状に形成されているので、操作部３４を押圧する指への刺激をさらに抑えることができる。したがって、離脱作業を繰り返した際に生じる指の痛みを抑制できる。
【００５３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５４】
例えば、上記実施形態では、支持アーム部３３及びオスハウジング７０の接続部７１に支点突起３７，７５を設けたが、図１１（ａ）に示すように、支持アーム部３３だけにオスハウジング７０の接続部７１に当接する支点突起３７を設けてもよい。また、図１１（ｂ）に示すように、オスハウジング７０の接続部７１だけに支持アーム部３３に当接する支点突起７５を設けてもよい。これらの場合も、支点Ｆの位置が作用点Ｓから離れるため、ロック解除時に必要となる操作力を低減させることができる。
【００５５】
ここで、上述した本発明の実施形態に係るコネクタの特徴をそれぞれ以下［１］〜［４］に簡潔に纏めて列記する。
［１］  ハウジング本体（２２）を有する第一ハウジング（メスハウジング２０）と、前記第一ハウジング（メスハウジング２０）の前記ハウジング本体（２２）と嵌合される接続部（７１）を有する第二ハウジング（オスハウジング７０）と、を備えるコネクタ（１０）であって、
前記第一ハウジング（メスハウジング２０）は、前記ハウジング本体（２２）に設けられて前記第二ハウジング（オスハウジング７０）の前記接続部（７１）に形成された突起部（７３）を係止してロックするロック機構（３０）を有し、
前記ロック機構（３０）は、
前記ハウジング本体（２２）の外面から前記接続部（７１）との嵌合側へ延在し、端部に前記突起部（７３）に係脱される係止部（３６）を有する片持ち梁状の弾性アーム部（３２）を備えたロックアーム（３１）と、
前記弾性アーム部（３２）に連設されて前記接続部（７１）との嵌合側と反対側へ延在する支持アーム部（３３）を有し、前記支持アーム部（３３）の端部が操作部（３４）とされた解除アーム（３８）と、
を備え、
前記第一ハウジング（メスハウジング２０）と前記第二ハウジング（オスハウジング７０）とが互いに嵌合した状態で、互いに対向する前記接続部（７１）及び支持アーム部（３３）の対向位置には、少なくとも一方に支点突起（３７，７５）が形成されている
ことを特徴とするコネクタ。
［２］  前記操作部（３４）は、後端へ向かって上方へ傾斜する傾斜面（３５）を有している
ことを特徴とする［１］に記載のコネクタ。
［３］  前記操作部（３４）の前記傾斜面（３５）と前記支持アーム部（３３）の表面（３３ａ）とが滑らかに繋がる円弧状に形成されている
ことを特徴とする［２］に記載のコネクタ。
【符号の説明】
【００５６】
１０  コネクタ
２０  メスハウジング（第一ハウジング）
２１  フード部
２２  ハウジング本体
２２ａ  外面
２３  嵌合部
２４  端子収容室
２５  電線
２６  メス端子
２７  ゴム栓
２８  電気接続部
２９  シール保持部
３０  ロック機構
３１  ロックアーム
３２  弾性アーム部
３３  支持アーム部
３３ａ  表面
３４  操作部
３４ａ  段部
３５  傾斜面
３６  係止部
３７  支点突起
３７ａ  頂部
３８  解除アーム
３９  支点突起
４１  保護壁
４２  梁部
５０  シール部材
７０  オスハウジング（第二ハウジング）
７１  接続部
７２  ガイド突条
７３  突起部
７４  ガイド面
７５  支点突起
７５ａ  頂部
７７  オス端子
【図１】
2020191261.tif 000003
【図２】
2020191261.tif 000004
【図３】
2020191261.tif 000005
【図４】
2020191261.tif 000006
【図５】
2020191261.tif 000007
【図６】
2020191261.tif 000008
【図７】
2020191261.tif 000009
【図８】
2020191261.tif 000010
【図９】
2020191261.tif 000011
【図１０】
2020191261.tif 000012
【図１１】
2020191261.tif 000013